(57)【要約】【課題】マットレス内にこもっている熱や湿気を効率的に運び出すことのできる換気機能付きのマットレスを提供する。【解決手段】クッション部を構成するエアセル１２の外周囲をベースシート１１やカバーシート１２などで気密に密閉したマットレスにおいて、カバーシート１２の側面適宜位置に排気孔１７を穿設し、エアセル１２から構成されるクッション部を中に挟んで前記排気孔１７と反対側の位置に、換気用空気を注入するための空気供給ノズル１５を備えるとともに、注入された換気用空気をエアセル外に吹き出すための所定大きさからなる空気吹き出し孔１６を備えた換気用エアセル１４を配置した。【選択図】      図１
2005006956.tif 000002
【特許請求の範囲】
【請求項１】
エアセルや樹脂製フォームなどで構成されたクッション部の外周囲をベースシートやカバーシートなどの被覆布によって気密に密閉したマットレスにおいて、
前記クッション部の外周囲を被う被覆布の側面適宜位置に排気孔を穿設するとともに、クッション部を中に挟んで前記排気孔と反対側の位置に、マットレス内に換気用空気を吹き出すための換気用空気吹き出し手段を設けたことを特徴とするマットレス。
【請求項２】
前記換気用空気吹き出し手段が、気密に密閉された扁平で細長い袋状とされ、かつ、該袋状体の適宜位置に換気用空気を注入するための空気供給ノズルを備えるとともに、注入された換気用空気を吹き出すための所定大きさからなる空気吹き出し孔を備えた換気用エアセルからなることを特徴とする請求項１記載のマットレス。
【請求項３】
前記換気用空気吹き出し手段が、周面適宜位置に空気吹き出し孔を穿設したチューブからなることを特徴とする請求項１記載のマットレス。
【請求項４】
前記換気用空気吹き出し手段が、複数個のＴ型コネクタをチューブで連結し、該Ｔ型コネクタの残り端子部を小径の空気吹き出し孔としたものであることを特徴とする請求項１記載のマットレス。
【発明の詳細な説明】
【０００１】
【発明の属する技術分野】
本発明は、マットレス内にこもっている熱や湿気を効率的に運び出すことのできる換気機能付きのマットレスに関する。
【０００２】
【従来の技術】
エアマットレス、ウレタンフォームマットレスなどの褥瘡（床ずれ）予防用のマットレスは、身体を広く面で支えることにより、ことにより、体圧分散効果を実現することができる。しかしながら、身体を面で支えることで体温の上昇による発汗のため、使用者は蒸れによる不快感を感ずることがある。
【０００３】
従来、このような問題を解決するため、寝具用のマットレスに換気用の穴を設けたり（特許文献１参照）、透湿性の高い素材を用いて換気機能を持たせたりしたもの（特許文献２参照）はあったが、強制的に換気していないために充分な効果が得られなかった。また、褥瘡予防用のマットレスでは、空気を体表面に向けて噴出する機構も採用されているが（特許文献３参照）、使用者に直接風を吹き付けることで使用者の体温を急激に下げてしまう可能性があり、体温コントロールが困難である。また、臨床現場では細菌をまき散らしてしまう危険性が指摘されている。
【０００４】
【特許文献１】
特開２００２−３６９７３３号公報
【特許文献２】
特開２００３−０２４１８３号公報
【特許文献３】
特開平１０−１６５２５９号公報
【０００５】
【発明が解決しようとする課題】
本発明は、上記問題を解決するためになされたもので、マットレス内にこもっている熱や湿気を効率的に運び出すことのできる換気機能付きのマットレスを提供することを課題とするものである。
【０００６】
【課題を解決するための手段】
上記課題を解決するため、本発明は次のような手段を採用した。
すなわち、請求項１に記載のマットレスは、エアセルや樹脂製フォームなどで構成されたクッション部の外周囲をベースシートやカバーシートなどの被覆布によって気密に密閉したマットレスにおいて、前記クッション部の外周囲を被う被覆布の側面適宜位置に排気孔を穿設するとともに、クッション部を中に挟んで前記排気孔と反対側の位置に、マットレス内に換気用空気を吹き出すための換気用空気吹き出し手段を設けたことを特徴とするものである。
【０００７】
なお、前記換気用空気吹き出し手段としては、請求項２〜４に記載されるように、気密に密閉された扁平で細長い袋状とされ、かつ、該袋状体の適宜位置に換気用空気を注入するための空気供給ノズルを備えるとともに、注入された換気用空気を吹き出すための所定大きさからなる空気吹き出し孔を備えた換気用エアセル、周面適宜位置に空気吹き出し孔を穿設したチューブ、あるいは、複数個のＴ型コネクタをチューブで連結し、該Ｔ型コネクタの残り端子部を小径の空気吹き出し孔としたものなどを用いることが好ましい。
【０００８】
上記構成とした場合、換気用空気吹き出し手段あるいはエアセル自体に設けた空気吹き出し孔から、密閉された被覆布内に換気用空気が吹き出される。この吹き出された換気用空気は、マットレス内部の間隙を縫うようにして被覆布の排気孔に向かって流れていき、排気孔からマットレス外へと排出される。マットレス内に送り込まれた換気用空気は、マットレス内を流れていく間に、マットレス内の熱や湿気を取り込み、マットレス外へと運び出すので、ベッド使用者のマットレスとの接触部位における体温上昇を効果的に抑えることができ、体温上昇による発汗や蒸れを予防することができる。
【０００９】
【発明の実施の形態】
以下、本発明の実施の形態について図面を参照して説明する。
図１〜図６に、本発明に係るマットレスの第１の実施の形態を示す。図１は一部を切断して示したマットレスの略示平面図、図２は図１中のＩＩ−ＩＩ線位置における略示断面図、図３は図１中のＩＩＩ−ＩＩＩ線位置における略示断面図、図４は排気孔側の側面から見たマットレスの略示斜視図、図５は換気用エアセルの断面構造を示す略示拡大斜視図である。
【００１０】
この第１の実施の形態に係るマットレスは、ベースシート１１上に、細長い袋状のエアセル１２をベッド長手方向と直交する向きに寝かせた状態で、ベッド長手方向に沿って複数本（例えば２０〜２４本程度）並設し、その上からカバーシート１３が被せられている。このベースシート１１とカバーシート１３は、クッション部を構成するエアセル１２群の外周囲を気密に被う被覆布を構成しており、マットレス内の空気が外部へ通り抜けることができないように密閉している。
【００１１】
前記エアセル１２は、例えばポリウレタンシートや綿布に樹脂をコーティングした気密性シートを溶着あるいは接着することにより、断面略長円形になる細長い袋状としたもので、図示は略したが、一方の端面には空気注入ノズルが形成されており、この空気注入ノズルに空気注入用のチューブあるいはパイプなどをつなぎ、これらチューブやパイプを介して、ベッド近傍に用意したエアポンプから所定圧力の空気を注入することにより、断面略長円形になる細長い袋状に膨らませることができるようになっている。なお、この第１の実施の形態では、クッション部として独立した空気膨張式のエアセル１２を用いたが、このエアセル１２に代えて、一体成形型のエアマット、ポリウレタンフォームなどの樹脂製フォームを用いてもよいものである。
【００１２】
前記エアセル１２を敷き詰められたベースシート１１の左右いずれか一側には、前記エアセル１２に近接して、換気用空気をマットレス内に吹き出すための換気用エアセル１４が、ベッド長手方向に沿って配置されており、位置ずれを起こすことがないようにエアセル両側部に形成したホック１９などによってベースシート１１またはカバーシート１３に着脱自在に取着されている。
【００１３】
換気用エアセル１４は、換気用空気をマットレス内に吹き出すための換気用空気吹き出し手段を構成するものであり、前記エアセル１２と同様に、ポリウレタンシートや綿布に樹脂をコーティングした気密性シートを溶着あるいは接着することにより、扁平な細長い袋状としたもので、適宜位置に換気用空気を供給するための空気供給ノズル１５が設けられているとともに、エアセル頂面位置には、所定間隔をおいて、換気用空気を吹き出すための所定大きさ（例えばφ０．５ｍｍ）からなる空気吹き出し孔１６が複数個形成されている。前記空気供給ノズル１５は、チューブ１８によってマットレスの外部まで引き出されており、このチューブ１８にエアポンプをつなぐことにより、換気用空気を換気用エアセル１４に供給できるようになっている。
【００１４】
一方、エアセル１４を中に挟んで換気用エアセル１４と反対側に位置するカバーシート１２の側壁面には、図３，図４に示すように、排気孔１７が所定の間隔をおいて複数個形成されており、前記換気用エアセル１４の空気吹き出し孔１６からマットレス内部に吹き出された換気用空気をこの排気孔１７から外部へ排出するように構成されている。
【００１５】
上記構成になるマットレスは、次のようにしてマットレス内の空気を換気することにより、マットレス内にこもっている熱や湿気を排除して使用者の体温上昇による発汗や蒸れを防止し、快適な睡眠や休息をとることができる。
【００１６】
すなわち、上記マットレスの使用に際しては、先ず最初に、マットレスのクッションを構成するエアセル１２を、図示を略した空気注入ノズルを通じてエアポンプに接続し、マットレスとして使用可能な状態に膨らませる。
【００１７】
次いで、換気用エアセル１４の空気供給ノズル１５から引き出されているチューブ１８にエアポンプを接続し、エアポンプから所定圧に調整された空気を送給開始する。エアポンプから所定圧の空気が送られてくると、換気用エアセル１４はその圧力によって図５に示すように膨らみ、エアセル１４の頂面に形成した空気吹き出し孔１６から換気用の空気をマットレス内部に向けて吹き出す。
【００１８】
マットレス内に吹き出された換気用空気は、マットレス全体が気密に構成されているため、マットレス内部の間隙を縫うようにして反対側の排気孔１７に向かって流れていき、排気孔１７からマットレス外へと排出される。マットレス内に送り込まれた換気用空気は、マットレス内を流れていく間に、マットレス内の熱や湿気を取り込み、マットレス外へと運び出す。このため、マットレス上に寝ている患者などのベッド使用者のマットレスとの接触部位における体温上昇を効果的に抑えることができ、体温上昇による発汗や蒸れを予防することができる。
【００１９】
上記第１の実施の形態では、細長い扁平な袋状の換気用エアセル１４を用いて換気用空気を吹き出すように構成したが、換気用空気の吹き出し手段はこれに限られるものではなく、例えば、図６，図７に示すような換気用空気吹き出し手段を用いてもよい。図６はチューブ２１の適宜位置に空気吹き出し孔２２を穿孔したもの、図７は複数個のＴ型コネクタ２３をチューブ２４で連結し、Ｔ型コネクタ２３の残り端子部を小径に構成して空気吹き出し孔２５としたものである。
【００２０】
また、エアセル１２用のエアポンプと、換気用エアセル１４用のエアポンプは、それぞれ独立に設けてもよいが、図８に示すような空気供給方法を採用すれば、１個のエアポンプを用いてエアセル１２と換気用エアセル１４の両方に空気を送給することができる。
【００２１】
図８（ａ）の方法は、はエアポンプ３１と、２経路切換式の電磁弁３２と、回転バルブ３３とを用いたもので、換気用エアセル１４に空気を送給する場合は、電磁弁３２を換気用エアセル１４側へ切り換え、エアセル１２に空気を送給する場合は、電磁弁３２をエアセル１２側へ切り替えるようにいたものである。この際、クッション部を構成するエアセル１２群を複数のグループ（例えば、Ａ系統，Ｂ系統，Ｃ系統の３つのグループ）に分け、回転バルブ３３によって各グループ単位で周期をずらしながら空気の給排気を行なえば、エアマットレスの表面に高低の位置が時間とともに変わって行く波動運動を与えることができる。なお、このような波動運動を実現するための回転バルブ３３としては、例えば、本出願人が特願平１１−１１４７１２号（特開２０００−１９７６７２号）において提案した回転バルブなどを用いればよい。
【００２２】
図８（ｂ）の方法は、図８（ａ）の方法において電磁弁３２を省略したもので、換気用エアセル１４も切換グループの１つとして回転バルブ３３の出力側に組み入れ、回転バルブ３３によってエアセル１２と換気用エアセル１２の両方を順次切り換えて行くようにしたものである。
【００２３】
図８（ｃ）の方法は、図８（ｂ）における回転バルブ３３に代えて、４経路切換式の電磁弁３４を用い、図８（ｂ）と同様な空気送給を実現したものである。
【００２４】
【発明の効果】
以上説明したように、本発明のマットレスによれば、換気用空気吹き出し手段あるいはエアセル自体に設けた空気吹き出し孔から、密閉された被覆布内に換気用空気が吹き出し、この吹き出した換気用空気を被覆布に形成した排気孔からマットレス外へと排出するようにしているので、換気用空気がマットレス内を流れていく間に、マットレス内の熱や湿気を取り込み、マットレス外へと運び出すことができる。このため、ベッド使用者のマットレスとの接触部位における体温上昇を抑えることができ、体温上昇による発汗や蒸れを効果的に予防することができる。
【図面の簡単な説明】
【図１】本発明に係るマットレスの第１の実施の形態を示すもので、一部を切断して示した略示平面図である。
【図２】図１中のＩＩ−ＩＩ線位置における略示断面図である。
【図３】図１中のＩＩＩ−ＩＩＩ線位置における略示断面図である。
【図４】排気孔側の側面から見たマットレスの略示斜視図である。
【図５】換気用エアセルの構造を示す略示断面斜視図である。
【図６】換気用空気の吹き出し手段の他の例を示す略示斜視図である。
【図７】換気用空気の吹き出し手段の更に他の例を示す略示斜視図である。
【図８】エアセルおよび換気用エアセルへの空気送給方法の説明図である。
【符号の説明】
１１    ベースシート
１２    エアセル（クッション部）
１３    カバーシート
１４    換気用エアセル
１５    空気供給ノズル
１６    空気吹き出し孔
１７    排気孔
１８    チューブ
１９    ホック
２１    チューブ
２２    空気吹き出し孔
２３    Ｔ型コネクタ
２４    チューブ
２５    空気吹き出し孔
３１    エアポンプ
３２    電磁弁
３３    回転バルブ
３４    電磁弁
【図１】
2005006956.tif 000003
【図２】
2005006956.tif 000004
【図３】
2005006956.tif 000005
【図４】
2005006956.tif 000006
【図５】
2005006956.tif 000007
【図６】
2005006956.tif 000008
【図７】
2005006956.tif 000009
【図８】
2005006956.tif 000010